(57)【要約】【課題】  可視光通信を利用して、容易にかつ迅速にアドレス設定が行える照明制御システムを提供する。【解決手段】  照明制御システム１は、受信装置５と、受信装置５が受信した制御信号が通信用制御信号であるときには記憶装置１４に記憶されているＩＤ番号を可視光信号として送信するように照明負荷８を制御する制御装置１３とを有する複数の照明器具２と、モード切替スイッチ１７の手動操作に応じて送受信部１８から通信用制御信号を無線信号で送信させ、送受信部１８が照明器具２から送信された可視光信号を受信しているときに手動操作された所望の操作スイッチ６と可視光信号のＩＤ番号との対応付けを記憶部１９に記憶させる制御部２２を有するリモコン装置３を具備している。【選択図】図１
2010153100.tif 000002
【特許請求の範囲】
【請求項１】
照明負荷を配設している器具本体と、この器具本体に付与されたＩＤ番号を記憶している記憶装置と、前記器具本体に設けられ、前記照明負荷を制御する制御信号を受信する受信装置と、この受信装置が受信した制御信号が照明用制御信号であるときには当該照明用制御信号に応じて前記照明負荷の点灯状態を制御し、前記制御信号が通信用制御信号であるときには前記記憶装置に記憶されているＩＤ番号を可視光信号として送信するように前記照明負荷を制御する制御装置とを有して構成された複数の照明器具と；
手動操作されるモード切替スイッチおよび複数の操作スイッチと、前記制御信号を無線信号で送信するとともに前記照明器具から送信された可視光信号を受信する送受信部と、前記操作スイッチと前記照明器具のＩＤ番号との対応付けを記憶する記憶部と、前記モード切替スイッチの手動操作に応じて前記送受信部から通信用制御信号を無線信号で送信させ、前記送受信部が前記照明器具から送信された可視光信号を受信しているときに手動操作された所望の操作スイッチと可視光信号のＩＤ番号との対応付けを前記記憶部に記憶させるとともに、前記所望の操作スイッチの手動操作に応じて前記記憶部に記憶されたＩＤ番号を付与した照明用制御信号を前記送受信部から無線信号で送信させるように制御する制御部とを有して構成されたリモコン装置と；
を具備していることを特徴とする照明制御システム。
【請求項２】
手動操作によって照明負荷を点消灯する壁スイッチと；
前記照明負荷を配設している器具本体と、この器具本体に付与されたＩＤ番号を記憶している記憶装置と、前記器具本体に設けられ、前記照明負荷を制御する制御信号を受信する受信装置と、この受信装置が受信した制御信号に応じて前記照明負荷の点灯状態を制御するとともに、前記壁スイッチが所定操作されたときに前記記憶装置に記憶されているＩＤ番号を可視光信号として送信するように前記照明負荷を制御する制御装置とを有して構成された複数の照明器具と；
複数の操作スイッチと、前記制御信号を無線信号で送信するとともに前記照明器具から送信された可視光信号を受信する送受信部と、前記操作スイッチと前記照明器具のＩＤ番号との対応付けを記憶する記憶部と、前記送受信部が前記照明器具から送信された可視光信号を受信しているときに手動操作された所望の操作スイッチと可視光信号のＩＤ番号との対応付けを前記記憶部に記憶させるとともに、前記所望の操作スイッチの手動操作に応じて前記記憶部に記憶されたＩＤ番号を付与した制御信号を前記送受信部から無線信号で送信させるように制御する制御部とを有して構成されたリモコン装置と；
を具備していることを特徴とする照明制御システム。
【請求項３】
照明負荷を配設している器具本体と、この器具本体に付与されたＩＤ番号を記憶している記憶装置と、伝送線に接続され、この伝送線から前記記憶装置に記憶しているＩＤ番号と一致するＩＤ番号を有する制御信号が入力され、この制御信号が照明用制御信号であるときには当該照明用制御信号に応じて前記照明負荷の点灯状態を制御し、前記制御信号が通信用制御信号であるときには前記記憶装置に記憶されているＩＤ番号を可視光信号として送信するように前記照明負荷を制御する制御装置とを有して構成された複数の照明器具と；
手動操作されるモード切替スイッチおよび複数の操作スイッチと、前記制御信号を無線信号で送信するとともに前記照明器具から送信された可視光信号を受信する送受信部と、前記操作スイッチと前記照明器具のＩＤ番号との対応付けを記憶する記憶部と、前記モード切替スイッチの手動操作に応じて前記送受信部から通信用制御信号を無線信号で送信させ、前記送受信部が前記照明器具から送信された可視光信号を受信しているときに手動操作された所望の操作スイッチと可視光信号のＩＤ番号との対応付けを前記記憶部に記憶させるとともに、前記所望の操作スイッチの手動操作に応じて前記記憶部に記憶されたＩＤ番号を付与した照明用制御信号を前記送受信部から無線信号で送信させるように制御する制御部とを有して構成されたリモコン装置と；
このリモコン装置から無線信号で送信された制御信号を受信し、前記伝送線に送信する受信装置と；
前記伝送線を介して前記複数の照明器具および前記受信装置に接続され、前記受信装置から送信された制御信号を伝送線から受信し、当該制御信号を伝送線に伝送可能なＩＤ番号を有する制御信号にデータ変換して伝送線に送信する主制御装置と；
を具備していることを特徴とする照明制御システム。
【請求項４】
前記照明器具は、可視光信号を送信するときに照明負荷を全光点灯するように制御することを特徴とする請求項１ないし３いずれか一記載の照明制御システム。
【発明の詳細な説明】
【技術分野】
【０００１】
本発明は、リモコン装置によって複数の照明器具を制御する照明制御システムに関する。
【背景技術】
【０００２】
壁スイッチやリモコン装置などの操作端末器のスイッチ操作に応じて、複数の照明器具の照明負荷を制御するためには、複数の照明器具と操作端末器のスイッチとを対応づけるアドレス設定が必要である。このアドレス設定は、専用のアドレス設定器を用いて行われているが、複数の照明器具と操作端末器の双方にアドレス設定を行うので、当該設定作業が煩雑なものとなっている。
【０００３】
そこで、可視光通信を利用してアドレス設定を行う遠隔照明制御システムが提案されている（特許文献１参照。）。この従来技術の遠隔照明制御システムは、照明負荷制御端末器が識別情報を可視光信号として送信するよう照明負荷を制御し、スイッチ端末器が可視光信号を受信し、識別情報を操作スイッチに対応付けて記憶するものであり、照明負荷制御端末器に可視光通信を実行する可視光通信モードと、可視光通信を停止する通常制御モードとを切り替えるモード切替スイッチを設けている。
【特許文献１】特開２００８−１３５２２３号公報（第６頁、第１図）
【発明の開示】
【発明が解決しようとする課題】
【０００４】
照明負荷制御端末器は、例えば電源盤に一括して配設され、照明器具とは異なる空間に設置されていることが多い。したがって、特許文献１のように、照明負荷制御端末器にモード切替スイッチを設けていると、モード切替スイッチを切り替えるために、その都度、移動するので、アドレスの設定作業に時間を要するという欠点を有する。また、照明負荷制御端末器の設置場所や設置位置によっては、モード切替スイッチの操作が困難になるという欠点を有する。
【０００５】
本発明は、可視光通信を利用して、容易にかつ迅速にアドレス設定が行える照明制御システムを提供することを目的とする。
【課題を解決するための手段】
【０００６】
請求項１に記載の照明制御システムの発明は、照明負荷を配設している器具本体と、この器具本体に付与されたＩＤ番号を記憶している記憶装置と、前記器具本体に設けられ、前記照明負荷を制御する制御信号を受信する受信装置と、この受信装置が受信した制御信号が照明用制御信号であるときには当該照明用制御信号に応じて前記照明負荷の点灯状態を制御し、前記制御信号が通信用制御信号であるときには前記記憶装置に記憶されているＩＤ番号を可視光信号として送信するように前記照明負荷を制御する制御装置とを有して構成された複数の照明器具と；手動操作されるモード切替スイッチおよび複数の操作スイッチと、前記制御信号を無線信号で送信するとともに前記照明器具から送信された可視光信号を受信する送受信部と、前記操作スイッチと前記照明器具のＩＤ番号との対応付けを記憶する記憶部と、前記モード切替スイッチの手動操作に応じて前記送受信部から通信用制御信号を無線信号で送信させ、前記送受信部が前記照明器具から送信された可視光信号を受信しているときに手動操作された所望の操作スイッチと可視光信号のＩＤ番号との対応付けを前記記憶部に記憶させるとともに、前記所望の操作スイッチの手動操作に応じて前記記憶部に記憶されたＩＤ番号を付与した照明用制御信号を前記送受信部から無線信号で送信させるように制御する制御部とを有して構成されたリモコン装置と；を具備していることを特徴とする。
【０００７】
本発明および以下の各発明において、特に言及しない限り、各構成は以下による。
【０００８】
照明負荷は、白熱電球、蛍光ランプなどの放電ランプ、発光ダイオード（ＬＥＤ）や有機ＥＬなどのいずれであってもよい。
【０００９】
照明負荷の点灯状態は、照明負荷の点灯、消灯および調光を意味する。
【００１０】
リモコン装置の送受信部は、送信部および受信部がそれぞれ形成されていてもよい。
【００１１】
ＩＤ番号は、照明器具を一意に特定するアドレスを意味する。
【００１２】
照明器具は、その照明負荷を点灯させる点灯回路部や点灯装置を配設し、この点灯回路部や点灯装置を制御装置が制御することにより、照明負荷が制御される。
【００１３】
通信用制御信号は、全ての照明器具からＩＤ番号を可視光信号として送信させる信号であり、照明用制御信号は、付与されたＩＤ番号の照明器具の点灯状態を制御する信号である。
【００１４】
手動操作された所望の操作スイッチは、１個に限らず、複数個であってもよい。
【００１５】
本発明によれば、リモコン装置のモード切替スイッチを操作してリモコン装置から通信用制御信号を無線信号で送信すると、その無線信号を受信した全ての照明器具は、その制御装置の照明負荷の制御により、そのＩＤ番号を可視光信号として送信する。そして、各照明器具の可視光の下で所望の操作スイッチを手動操作することにより、所望の操作スイッチと照明器具のＩＤ番号とが対応付けられ、記憶部に記憶される。この後、所望の操作スイッチを手動操作することにより、その所望の操作スイッチに対応付けられた照明器具の照明負荷の点灯状態が制御される。
【００１６】
請求項２に記載の照明制御システムの発明は、手動操作によって照明負荷を点消灯する壁スイッチと；前記照明負荷を配設している器具本体と、この器具本体に付与されたＩＤ番号を記憶している記憶装置と、前記器具本体に設けられ、前記照明負荷を制御する制御信号を受信する受信装置と、この受信装置が受信した制御信号に応じて前記照明負荷の点灯状態を制御するとともに、前記壁スイッチが所定操作されたときに前記記憶装置に記憶されているＩＤ番号を可視光信号として送信するように前記照明負荷を制御する制御装置とを有して構成された複数の照明器具と；複数の操作スイッチと、前記制御信号を無線信号で送信するとともに前記照明器具から送信された可視光信号を受信する送受信部と、前記操作スイッチと前記照明器具のＩＤ番号との対応付けを記憶する記憶部と、前記送受信部が前記照明器具から送信された可視光信号を受信しているときに手動操作された所望の操作スイッチと可視光信号のＩＤ番号との対応付けを前記記憶部に記憶させるとともに、前記所望の操作スイッチの手動操作に応じて前記記憶部に記憶されたＩＤ番号を付与した制御信号を前記送受信部から無線信号で送信させるように制御する制御部とを有して構成されたリモコン装置と；を具備していることを特徴とする。
【００１７】
壁スイッチは、全ての照明器具への電力の供給を入り切りするものであってもよく、個別に又はグループ毎に入り切りするものであってもよい。
【００１８】
そして、例えば、壁スイッチを所定時間内に所定回数以上入り切り操作すると、電力供給が入り切りされた照明器具は、その制御装置の照明負荷の制御により、そのＩＤ番号を可視光信号として送信する構成であってもよい。
【００１９】
本発明によれば、壁スイッチを所定操作すると、照明器具からそのＩＤ番号が可視光信号として可視光に重畳されて送信される。そして、当該照明器具の可視光の下で所望の操作スイッチを手動操作することにより、所望の操作スイッチと照明器具のＩＤ番号とが対応付けられ、記憶部に記憶される。この後、所望の操作スイッチを手動操作することにより、その所望の操作スイッチに対応付けられた照明器具の照明負荷の点灯状態が制御される。
【００２０】
請求項３に記載の照明制御システムの発明は、照明負荷を配設している器具本体と、この器具本体に付与されたＩＤ番号を記憶している記憶装置と、伝送線に接続され、この伝送線から前記記憶装置に記憶しているＩＤ番号と一致するＩＤ番号を有する制御信号が入力され、この制御信号が照明用制御信号であるときには当該照明用制御信号に応じて前記照明負荷の点灯状態を制御し、前記制御信号が通信用制御信号であるときには前記記憶装置に記憶されているＩＤ番号を可視光信号として送信するように前記照明負荷を制御する制御装置とを有して構成された複数の照明器具と；手動操作されるモード切替スイッチおよび複数の操作スイッチと、前記制御信号を無線信号で送信するとともに前記照明器具から送信された可視光信号を受信する送受信部と、前記操作スイッチと前記照明器具のＩＤ番号との対応付けを記憶する記憶部と、前記モード切替スイッチの手動操作に応じて前記送受信部から通信用制御信号を無線信号で送信させ、前記送受信部が前記照明器具から送信された可視光信号を受信しているときに手動操作された所望の操作スイッチと可視光信号のＩＤ番号との対応付けを前記記憶部に記憶させるとともに、前記所望の操作スイッチの手動操作に応じて前記記憶部に記憶されたＩＤ番号を付与した照明用制御信号を前記送受信部から無線信号で送信させるように制御する制御部とを有して構成されたリモコン装置と；このリモコン装置から無線信号で送信された制御信号を受信し、前記伝送線に送信する受信装置と；前記伝送線を介して前記複数の照明器具および前記受信装置に接続され、前記受信装置から送信された制御信号を伝送線から受信し、当該制御信号を伝送線に伝送可能なＩＤ番号を有する制御信号にデータ変換して伝送線に送信する主制御装置と；を具備していることを特徴とする。
【００２１】
受信装置は、１個または複数個であってもよい。また、照明器具と一体に設けられてもよく、照明器具と別体に設けられてもよい。照明器具と一体に設けられる場合、照明器具の個々に設けられていてもよく、照明器具のグループ毎に設けられていてもよい。
【００２２】
本発明によれば、リモコン装置のモード切替スイッチを操作してリモコン装置から通信用制御信号を無線信号で送信すると、当該無線信号は、受信装置で受信されて、伝送線を介して主制御装置に送信される。主制御装置は、全ての照明器具に対して通信用制御信号を送信する。全ての照明器具は、その制御装置の照明負荷の制御により、そのＩＤ番号を可視光信号として送信する。そして、各照明器具の可視光の下で所望の操作スイッチを手動操作することにより、所望の操作スイッチと照明器具のＩＤ番号とが対応付けられ、記憶部に記憶される。この後、所望の操作スイッチを手動操作することにより、その所望の操作スイッチに対応付けられた照明器具の照明負荷の点灯状態が制御される。
【００２３】
請求項４に記載の照明制御システムの発明は、請求項１ないし３いずれか一記載の照明制御システムの発明において、前記照明器具は、可視光信号を送信するときに照明負荷を全光点灯するように制御することを特徴とする。
【００２４】
本発明によれば、照明負荷は、可視光信号を送信するときに全光点灯されるので、外光があっても、リモコン装置に受信される可視光信号の強度比が相対的に低下することが抑制されて、可視光信号がリモコン装置に受信されやすくなる。
【発明の効果】
【００２５】
請求項１の発明によれば、リモコン装置のモード切替スイッチを手動操作することにより、照明器具からＩＤ番号が可視光信号として送信され、可視光の下でリモコン装置の操作スイッチと照明器具のＩＤ番号とを対応付けすることができるので、照明器具に対する操作スイッチのアドレスの設定または変更を容易かつ迅速に行うことができる。また、アドレス設定時の点灯時間を短縮できるので、省電力化を図ることができる。
【００２６】
請求項２の発明によれば、壁スイッチを所定操作することにより、照明器具からＩＤ番号が可視光信号として送信され、可視光の下でリモコン装置の操作スイッチと照明器具のＩＤ番号とを対応付けすることができるので、照明器具に対する操作スイッチのアドレスの設定または変更を容易かつ迅速に行うことができる。また、アドレス設定時の点灯時間を短縮できるので、省電力化を図ることができる。
【００２７】
請求項３の発明によれば、リモコン装置のモード切替スイッチを手動操作することにより、主制御装置から全ての照明器具に通信用制御信号が伝送され、各照明器具からＩＤ番号が可視光信号として送信されて、可視光の下でリモコン装置の操作スイッチと照明器具のＩＤ番号とを対応付けすることができるので、照明器具に対する操作スイッチのアドレスの設定または変更を容易かつ迅速に行える。また、アドレス設定時の点灯時間を短縮できるので、省電力化を図ることができる。
【００２８】
請求項４の発明によれば、照明器具からＩＤ番号の可視光信号を送信するときに照明負荷が全光点灯されることにより、可視光信号がリモコン装置に受信されやすくなるので、リモコン装置の所望の操作スイッチと照明器具のＩＤ番号との対応付けの確実性を向上させることができる。
【発明を実施するための最良の形態】
【００２９】
以下、本発明の一実施の形態について、図面を参照して説明する。まず、本発明の第１の実施形態について説明する。
【００３０】
図１ないし図３は、本発明の第１の実施形態を示し、図１は照明制御システムの構成の概略ブロック図、図２は照明器具の構成を示す概略ブロック図、図３はリモコン装置の構成を示す概略ブロック図である。
【００３１】
図１において、照明制御システム１は、照明器具２およびリモコン装置３を有して構成されている。照明器具２は、天井側に複数個が配設されている。照明器具２は、天井に直付けされる直付け器具、天井に埋め込まれる埋込形器具または天井に吊り下げられる吊り下げ形器具などのいずれであってもよい。
【００３２】
そして、複数の照明器具２は、それぞれ器具本体４にＩＤ番号（アドレス）が付与されており、器具本体４には受信装置５が設けられている。受信装置５は、リモコン装置３から無線信号で送信された制御信号を受信する。この制御信号に応じて、器具本体４に配設されている図示しない照明負荷８が制御されるものである。
【００３３】
また、照明器具２は、受信装置５がリモコン装置３から送信された通信用制御信号を受信すると、照明負荷８から放射される可視光にＩＤ番号が付与された可視光信号を重畳させることにより、ＩＤ番号を送信する可視光通信を行うものである。そして、リモコン装置３において、可視光信号が受信され、所望の操作スイッチ６と可視光信号のＩＤ番号との対応付けが行われることにより、所望の操作スイッチ６で照明制御される照明器具２を一意に特定するものである。
【００３４】
照明器具２は、図２に示すように、器具本体４が制御端末装置７を収納し、かつ受信装置５、照明負荷８およびモード表示灯９をそれぞれ配設している。制御端末装置７は、その入力端子１０，１０に商用交流電源Ｖｓに接続されている電源線１１，１１が接続されている。
【００３５】
受信装置５は、リモコン装置３から無線信号で送信された照明負荷８を制御する制御信号を例えばフォトダイオードからなる受信素子１２により受信し、当該制御信号をデータ変換して制御装置１３に出力するように形成されている。受信素子１２は、図１に示すように、器具本体4の一端側下面に露出するように配設されている。照明負荷８は、例えば直管形蛍光ランプである。また、モード表示灯９は、例えば赤色光を放射する発光ダイオード（ＬＥＤ）である。
【００３６】
制御端末装置７は、ユニットに形成されて器具本体４の内部に配設され、図２に示すように、制御装置１３、記憶装置１４、点灯回路部１５および電源部１６を有して構成されている。記憶装置１４は、器具本体７（照明器具２）に付与されたＩＤ番号（アドレス）や照明用制御信号に対する調光比率などの各種データを記憶している。
【００３７】
制御装置１３は、マイコンを有して形成され、受信装置５から出力された制御信号が入力される。そして、当該制御信号が照明用制御信号であるときには、当該照明用信号に応じて点灯回路部１５を制御し、照明負荷８の点灯状態を制御するように形成されている。すなわち、照明用制御信号が点灯信号であるときには、照明負荷８を点灯させ、消灯信号であるときには、照明負荷８を消灯させ、調光信号であるときには、照明負荷８を調光点灯させるように制御するものである。
【００３８】
また、制御装置１３は、入力した制御信号が通信用制御信号であるときには、記憶装置１４に記憶されているＩＤ番号を読み出し、このＩＤ番号を可視光信号として照明負荷８から送信するように点灯回路部１５を制御し、照明負荷８を制御するように形成されている。すなわち、照明負荷８から出力される可視光には、ＩＤ番号を特定する可視光信号が重畳される。可視光信号は、可視光により照明される照明エリアに送信される。
【００３９】
そして、制御装置１３は、ＩＤ番号の可視光信号を送信するときには、照明負荷８が全光（１００％）点灯するように点灯回路部１５を制御するものである。可視光信号は、その出力が可視光の出力に応じて大きくなるものである。すなわち、照明負荷８が全光点灯されることにより、可視光信号をリモコン装置３で受信されやすくしている。
【００４０】
点灯回路部１５は、入力端子１０，１０を介して電源線１１に接続され、商用交流電源Ｖｓから交流電力を入力する。そして、制御装置１３の制御により、入力した交流電力を高周波交流電力に変換し、この高周波交流電力により照明負荷８を点灯させるとともに、照明負荷８から可視光信号が送信されるように照明負荷８を制御するものである。
【００４１】
電源部１６は、入力端子１０，１０を介して電源線１１に接続され、商用交流電源Ｖｓからの交流電源を直流電源に変換して、当該直流電源を制御装置１３などに供給して動作させる。
【００４２】
そして、リモコン装置３は、手で持って移動可能な大きさに形成され、図３に示すように、モード切替スイッチ１７、操作スイッチ６、送受信部１８、記憶部１９、ブザー部２０、電源部２１および制御部２２を有して構成されている。
【００４３】
モード切替スイッチ１７は、リモコン装置３から通信用制御信号を送信させるためのスイッチであり、例えば１個の操作スイッチ（操作ボタン）からなっている。手動操作によりモード切替スイッチ１７を押下することにより、リモコン装置３から通信用制御信号が送信されるものである。
【００４４】
操作スイッチ６は、リモコン装置３から照明用制御信号を送信させるためのスイッチであり、複数個の例えば操作ボタンからなっている。操作スイッチ６には、数字０〜９、＃や＊などが表示されている。手動操作により操作スイッチ６を押下することにより、リモコン装置３から当該操作スイッチ６に対応付けられた照明器具２のＩＤ番号を有する照明用制御信号を送信させるものである。
【００４５】
送受信部１８は、制御部２２の制御により、通信用制御信号または照明用制御信号を無線信号で送信するとともに、照明器具２から送信された可視光信号を受信するように形成されている。記憶部１９は、操作スイッチ６と照明器具２のＩＤ番号との対応付けを記憶するものである。ブザー部２０は、制御部２２の制御により、報知音や音声を発するように形成されている。電源部２１は、乾電池または太陽電池を有して形成され、制御部２２などに直流電源を供給して動作させる。
【００４６】
そして、制御部２２は、マイコンを有して形成され、送受信部１８から通信用制御信号または照明用制御信号を送信させる。すなわち、モード切替スイッチ１７が一度押下されると、送受信部１８から通信用制御信号を無線信号で送信させる。また、操作スイッチ６が押下されると、記憶部１９から当該操作スイッチ６に対応した照明器具２のＩＤ番号を読み出し、当該ＩＤ番号を付与した照明用制御信号を演算生成して送受信部１８から無線信号で送信させる。照明用制御信号は、操作スイッチ６が一度押下されると、照明負荷８を例えば消灯状態から点灯させ、操作スイッチ６が再度押下されると、照明負荷８を例えば点灯状態から消灯させる反転制御信号である。
【００４７】
また、制御部２２は、操作スイッチ６と照明器具２のＩＤ番号とを対応付けるように制御する。すなわち、送受信部１８が照明器具２から送信された可視光信号を受信しているときに、手動操作により所望の操作スイッチ６を押下することにより、当該所望の操作スイッチ６と可視光のＩＤ番号とを対応付けて記憶部１９に記憶させるように形成されている。ここで、所望の押下する操作スイッチ６は、１個または複数個とすることができる。また、操作スイッチ６を数秒間押下し続けることにより、前記対応付けを行うようにしてもよい。また、複数の照明器具２のＩＤ番号を１つの操作スイッチ６に対応づけてもよい。すなわち、照明器具２をグループ制御するようにすることができる。そして、制御部２２は、前記対応付けを行ったときに、ブザー部２０から報知音を発生させる。これにより、前記対応付けが行われたことが確認される。
【００４８】
次に、本発明の第１の実施形態の作用について述べる。
【００４９】
各照明器具２は、その器具本体４にＩＤ番号が付与されている。リモコン装置３を用いて照明器具２を個別にまたはグループで制御するには、まず、リモコン装置３の操作スイッチ６と照明器具２のＩＤ番号との対応付け（アドレス設定）を行う。
【００５０】
リモコン装置３のモード切替スイッチ１７を手動操作により押下すると、制御部２２の制御により、送受信部１８から通信用制御信号が無線信号で送信される。通信用制御信号は、各照明器具２の受信装置５により受信され、受信装置５から制御装置１３に送出される。制御装置１３は、記憶装置１４に記憶されているＩＤ番号を読み出し、このＩＤ番号を可視光信号として送信するように、点灯回路部１５を制御することにより照明負荷８を制御する。照明負荷８からは、ＩＤ番号を有する可視光信号が重畳された照明光（可視光）が放射される。
【００５１】
また、制御装置１３は、可視光信号を送信させるときには、照明負荷８を全光点灯させる。この照明負荷８の全光点灯に伴って、可視光信号の出力も大きくなる。また、制御装置１３は、可視光信号を送信させているときには、モード表示灯９を点灯させる。このモード表示灯９の点灯を視認することにより、当該モード表示灯９を有する照明器具２から可視光信号が送信されていることを確認することができる。
【００５２】
そして、リモコン装置３を各照明器具２によって照明される照明エリアに移動させる。リモコン装置３は、その送受信部１８が照明器具２から送信された可視光信号を受信する。ここで、リモコン装置３を照明器具２に近づけて、リモコン装置３が当該照明器具２から送信された可視光信号を受信し、残余の照明器具２から送信された可視光信号を受信しないようにする。
【００５３】
そして、所望の操作スイッチ６を選択し、その操作スイッチ６を押下し続けると、制御部２２は、当該操作スイッチ１と可視光信号のＩＤ番号を対応付けて記憶部１９に記憶させる。例えばＩＤ番号１の照明器具２の下で表示１の操作スイッチ６を押下すると、表示１の操作スイッチ６とＩＤ番号１の照明器具２が対応付けられる。以下、ＩＤ番号２，３，…の照明器具２の下で表示２，３，…の操作スイッチ６を押下すると、表示２，３，…の操作スイッチ６とＩＤ番号２，３，…の照明器具２が対応付けられる。こうして、全ての照明器具２に対してリモコン装置３の操作スイッチ６の対応付け（アドレス設定）が行われる。
【００５４】
この後、照明負荷８の点灯状態を制御したい照明器具２に対して、当該照明器具２に対応するリモコン装置３の操作スイッチ６を押下すると、制御部２２は、記憶部１９から当該操作スイッチ６に対応するＩＤ番号を読み出し、当該ＩＤ番号が付与された照明用制御信号を送受信部１８から無線信号で送信させる。照明用制御信号は、照明器具２の受信装置５で受信されて制御装置１３に送出される。
【００５５】
制御装置１３は、照明用制御信号が入力されると、記憶装置１４に記憶されているＩＤ番号を読み出し、当該ＩＤ番号と照明用制御信号に付与されているＩＤ番号を比較する。そして、両者が一致すると、照明用制御信号に応じて点灯回路部１５を制御し、照明負荷８の点灯状態を制御する。照明負荷８は、照明用制御信号に応じて、例えば、消灯状態から点灯され、または点灯状態から消灯されるように反転制御される。このように、照明器具２に対応するリモコン装置３の操作スイッチ６を手動操作することにより、操作スイッチ６に対応付けられた照明器具２の照明負荷８が制御される。
【００５６】
また、操作スイッチ６で複数の照明器具２をグループ制御させるには、所望の操作スイッチ６に対して複数の照明器具２のＩＤ番号を上記のようにして対応付けるとよい。リモコン装置３の制御部２２は、操作スイッチ６が手動操作されると、その操作スイッチ６に対応付けられたそれぞれのＩＤ番号を有する照明用制御信号を送受信部１８から無線信号で送信させる。
【００５７】
上述したように、リモコン装置３のモード切替スイッチ１７を手動操作することにより、各照明器具２からＩＤ番号が可視光信号として送信され、各照明器具２の照明光（可視光）の下でリモコン装置３の所望の操作スイッチ６と照明器具２のＩＤ番号とを対応付けすることができるので、ＩＤ番号が付与された照明器具２に対するリモコン装置３の操作スイッチ６の対応付け（アドレス）の設定または変更を容易かつ迅速に行うことができて、省力化を図ることができる。また、当該対応付けにおける照明負荷８の点灯時間が短縮されるので、省電力化を図ることができる。
【００５８】
また、可視光信号は、照明負荷２の照明負荷８が全光点灯されて出力されるので、その出力が大きくなっており、可視光信号を受信する照明エリアに外光が入射していても、リモコン装置３に受信されやすくなっている。したがって、リモコン装置３の所望の操作スイッチ６と照明器具２のＩＤ番号との対応付けの確実性を向上させることができる。
【００５９】
次に、本発明の第２の実施形態について説明する。
【００６０】
図４は、本発明の第２の実施形態を示す照明制御システムの構成の概略ブロック図である。なお、図１ないし図３と同一部分には、同一符号を付して説明は省略する。
【００６１】
図４に示す照明制御システム２３は、図１に示す照明制御システム１において、商用交流電源Ｖｓと照明器具２との間に壁スイッチ２４およびリレー２５を設けたものである。壁スイッチ２４をオンオフ制御することにより、リレーコイル２５ａが付勢または消勢される。これにより、リレー２５を介して、全ての照明器具２への商用交流電源Ｖｓからの電力の供給が入り切りされる。
【００６２】
そして、照明器具２の制御装置１３は、壁スイッチ２４が入り切り操作され、所定時間内に所定回数以上、例えば３秒以内に３回以上の商用交流電源Ｖｓからの電力の供給および停止があったときには、記憶装置１４に記憶されている照明器具２のＩＤ番号を読み出し、このＩＤ番号を可視光信号として送信するように点灯回路部１５を制御し、照明負荷８を制御するように形成されている。制御装置１３は、前記電力の供給および停止を電源部１６から受信する。以下、照明制御システム１において説明したとおりである。なお、リモコン装置３は、モード切替スイッチ１７を設けなくてもよく、制御部２２は、通信用制御信号を送受信部１８から送信させる機能を有しなくてもよいものである。
【００６３】
照明制御システム２３は、壁スイッチ２４を所定時間内に所定回数以上入り切り操作するという所定操作をすることにより、照明器具２からＩＤ番号が可視光信号として送信され、照明光（可視光）の下でリモコン装置３の所望の操作スイッチ６と照明器具２のＩＤ番号とを対応付けすることができるので、照明器具２に対するリモコン装置３の操作スイッチ６の対応付け（アドレス）の設定または変更を容易かつ迅速に行うことができて、省力化を図ることができる。また、当該対応付けにおける照明負荷８の点灯時間が短縮されるので、省電力化を図ることができる。
【００６４】
次に、本発明の第３の実施形態について説明する。
【００６５】
図５ないし図８は、本発明の第３の実施形態を示し、図５は照明制御システムの構成の概略ブロック図、図６は照明器具の構成を示す概略ブロック図、図７は受信装置の構成を示す概略ブロック図、図８は主制御装置の構成を示す概略ブロック図である。なお、図１ないし図３と同一部分には、同一符号を付して説明は省略する。
【００６６】
図５に示す照明制御システム２６は、照明器具２Ａ、リモコン装置３、受信装置２７および主制御装置２８を有して構成されている。主制御装置２８は、伝送線２９により、照明器具２Ａ、受信装置２７および監視端末装置としての壁スイッチ３０に接続されている。伝送線２９は、複極（±２４Ｖ）の時分割多重信号で示されたデータを送受信する伝送線、あるいはイーサネット（登録商標）や電力線通信等を行う回線である。
【００６７】
壁スイッチ３０は、その操作スイッチ３０ａが照明器具２Ａに対応付けられており、操作スイッチ３０ａをオンオフ操作することにより照明器具２Ａの照明負荷８を点灯、消灯させることができる。また、伝送線２９には、人感センサ装置や照度センサ装置などの図示しない監視端末装置や他の照明器具を制御する図示しない制御端末装置などが接続されている。
【００６８】
照明器具２Ａは、図６に示すように、図２に示す照明器具２において、受信装置５を具備せず、送受信部３１を有する制御端末装置７Ａを具備している。送受信部３１は、接続端子３２，３２を介して伝送線２９に接続され、伝送線２９から制御信号を受信して制御装置１３に送出するとともに、照明負荷８の点灯状態などの監視データを伝送線２９に出力するように形成されている。
【００６９】
制御装置１３は、送受信部３１から制御信号を送出されると、当該制御信号に付与されているＩＤ番号と記憶装置１４に記憶されているＩＤ番号を比較し、両者が一致すると、当該制御信号を入力する。制御装置１３は、送受信部３１を介して伝送線２９に接続されている。以下、図２において説明した制御動作を行うものである。
【００７０】
受信装置２７は、図７に示すように、送信部３３、制御部３４および受信素子３５を有して構成されている。送信部３３は、接続端子３６，３６を介して伝送線２９に接続されている。受信素子３５は、例えばフォトダイオードからなり、リモコン装置３から無線信号で送信された照明負荷８を制御する制御信号を受信する。制御部３４は、受信素子３５が受信した制御信号をデータ変換して、送信部３３から伝送線２９に出力させるように形成されている。
【００７１】
主制御装置５は、システム全体を統括管理するものであり、図８に示すように、通信部３７、画面入力部３８、記憶部３９、電源部４０および主制御部４１を有して構成されている。通信部３７は、接続端子４２，４２を介して伝送線２９に接続され、受信装置２７等から送信された制御信号などが入力され、当該制御信号などを主制御部４１に送出するように形成されている。また、主制御部４１の制御により、照明負荷８を制御する制御信号などの出力を行うように形成されている。
【００７２】
画面入力部３８は、例えばタッチパネルを備え、照明器具２ＡのＩＤ番号（アドレス）を設定入力できるように形成されている。また、各種制御データを入力可能に形成されている。記憶部３９は、照明器具２ＡのＩＤ番号や各種データなどを記憶している。
【００７３】
電源部４０は、接続端子４３，４３を介して商用交流電源Ｖｓに接続され、商用交流電源Ｖｓからの交流電源を所定の直流電源に変換するように形成されている。そして、直流電源を主制御部４１などに供給して動作させている。
【００７４】
主制御部３４は、マイコン等を有して構成され、受信装置５から送信された制御信号が通信部３７を介して伝送線２９から入力されると、伝送線２９に伝送可能なＩＤ番号を有する制御信号にデータ変換して、通信部３７から伝送線２９に送信させるように形成されている。すなわち、受信装置５から送信された制御信号が通信用制御信号であると、当該通信用制御信号が全ての照明器具２Ａの制御装置１３に入力されるように、それぞれのＩＤ番号を付与した通信用制御信号をデータ変換して伝送線２９に送信する。また、受信装置５から送信された制御信号が照明用制御信号であると、当該ＩＤ番号を有する照明用制御信号をデータ変換して伝送線２９に送信するものである。
【００７５】
次に、本発明の第３の実施形態の作用について述べる。
【００７６】
リモコン装置３の操作スイッチ６と照明器具２ＡのＩＤ番号との対応付け（アドレス）の設定または変更を行うには、リモコン装置３のモード切替スイッチ１７を手動操作により押下し、制御部２２の制御により、送受信部１８から通信用制御信号を無線信号で送信させる。通信用制御信号は、受信装置２７により受信され、伝送線２９に送信される。
【００７７】
主制御装置２８は、通信部３７を介して伝送線２９から通信用制御信号を入力し、この通信用制御信号に個々に全ての照明器具２ＡのＩＤ番号を付与し、伝送線２９に伝送可能な制御信号にデータ変換して通信部３７から伝送線２９に送信させる。
【００７８】
照明器具２Ａの制御装置１３は、送受信部３１が伝送線２９から通信用制御信号を受信すると、記憶装置１４に記憶されている照明器具２ＡのＩＤ番号を読み出す。そして、制御装置１３は、当該ＩＤ番号と通信用制御信号のＩＤ番号が一致すると、制御装置１３は、当該ＩＤ番号を可視光信号として送信するように、点灯回路部１５を制御することにより照明負荷８を制御する。全ての照明器具２Ａの照明負荷８からは、それぞれのＩＤ番号の可視光信号が重畳された照明光（可視光）が放射される。また、照明負荷８は、制御装置１３の制御により、全光点灯される。
【００７９】
以下、リモコン装置３において、第１の実施形態において説明したように、所望の操作スイッチ６と照明器具２ＡのＩＤ番号との対応付けを行うことができる。
【００８０】
そして、照明負荷８の点灯状態を制御したい照明器具２Ａに対して、当該照明器具２Ａに対応するリモコン装置３の操作スイッチ６を押下すると、リモコン装置３から当該操作スイッチ６に対応するＩＤ番号が付与された照明用制御信号が無線信号で送信される。照明用制御信号は、受信装置２７で受信され、伝送線２９を介して主制御装置２８に送信される。
【００８１】
主制御装置２８は、通信部３７で受信したＩＤ番号を有する照明用制御信号をデータ変換して、通信部３７から伝送線２９に送信する。照明用制御信号は、各照明器具２Ａの送受信部３１で受信される。各照明器具２Ａの制御装置１３は、記憶装置１４に記憶されているＩＤ番号を読み出し、当該ＩＤ番号と当該照明用制御信号に付与されているＩＤ番号を比較する。そして、制御装置１３は、両者が一致すると、当該照明用制御信号を入力し、両者が一致しないと、当該照明用制御信号を入力しない。こうして、照明用制御信号は、付与されたＩＤ番号の照明器具２Ａの制御装置１３に入力される。
【００８２】
制御装置１３は、照明用制御信号に応じて点灯回路部１５を制御し、照明負荷８の点灯状態を制御する。照明負荷８は、照明用制御信号に応じて、例えば、その点灯状態が反転制御される。このように、照明器具２Ａに対応するリモコン装置３の操作スイッチ６を手動操作することにより、操作スイッチ６に対応付けられた照明器具２Ａの照明負荷８が制御される。
【００８３】
なお、制御装置１３は、照明負荷８が消灯しているときに、送受信部３１が通信用制御信号を受信したときには、照明負荷８を強制的に点灯させ、可視光信号を送信させるようにしてもよい。
【００８４】
上述したように、リモコン装置３のモード切替スイッチ１７を手動操作することにより、主制御装置２８から全ての照明器具２Ａに通信用制御信号が送信され、各照明器具２ＡからＩＤ番号が可視光信号として送信されて、照明光（可視光）の下でリモコン装置３の所望の操作スイッチ６と照明器具２ＡのＩＤ番号とを対応付けすることができるので、照明器具２Ａに対する操作スイッチ６の対応付け（アドレス）の設定または変更を容易かつ迅速に行うことができる。これにより、省力化および省電力化が図れる照明制御システム２６を提供することができる。
【図面の簡単な説明】
【００８５】
【図１】本発明の第１の実施形態を示す照明制御システムの構成の概略ブロック図。
【図２】同じく、照明器具の構成を示す概略ブロック図。
【図３】同じく、リモコン装置の構成を示す概略ブロック図。
【図４】本発明の第２の実施形態を示す照明制御システムの構成の概略ブロック図。
【図５】本発明の第３の実施形態を示す照明制御システムの構成の概略ブロック図。
【図６】同じく、照明器具の構成を示す概略ブロック図。
【図７】同じく、受信装置の構成を示す概略ブロック図。
【図８】同じく、主制御装置の構成を示す概略ブロック図。
【符号の説明】
【００８６】
１，２３，２６…照明制御システム
２，２Ａ…照明器具
３…リモコン装置
４…器具本体
５，２７…受信装置
６…操作スイッチ
１３…制御装置
１４…記憶装置
１７…モード切替スイッチ
１８…送受信部
１９…記憶部
２２…制御部
２４…壁スイッチ
２８…主制御装置
【図１】
2010153100.tif 000003
【図２】
2010153100.tif 000004
【図３】
2010153100.tif 000005
【図４】
2010153100.tif 000006
【図５】
2010153100.tif 000007
【図６】
2010153100.tif 000008
【図７】
2010153100.tif 000009
【図８】
2010153100.tif 000010